(57)【要約】【課題】フィルムマルチ栽培において、農業機械を使用して植播を行う前に、植播箇所のフィルムに打抜穴や切れ目等のフィルムの引き破り阻止又は防止要素を形成して、植播するときのフィルム屑の発生を防止し、ひいては収穫された作物にフィルム屑が混入することを防止する。【解決手段】農業機械は、走行部１０と、周期的に昇降して苗の植付け又は播種をする器具２０を有する第２の装置２と、を備える。前記器具２０の昇降行程の下死点又はその近傍で、前記器具２０がフィルムマルチ栽培用のフィルムで被覆されている土壌中に突入して土壌に穴を形成し、当該穴の中に苗を植付け又は播種する。前記第２の装置２より進行方向前部側には、前記器具２０の突入箇所に前記フィルムの引き破り阻止又は防止要素を形成する第１の装置３を備えている。【選択図】図１
2012034657.tif 000002
【特許請求の範囲】
【請求項１】
農業機械を使用して、フィルムマルチ栽培用のフィルムで被覆されている土壌中に一定間隔で苗の植付け又は播種する方法であって、
苗の植付け又は播種箇所に、前記農業機械が備える第１の装置で前記フィルムの引き破り阻止又は防止要素を形成し、
次いで、前記農業機械が進行し、前記引き破り阻止又は防止要素が形成された箇所に、前記農業機械が備える第２の装置の苗の植付け又は播種をする器具が前記フィルムを通り抜けて土壌に突入して穴を形成し、
その後前記穴に苗の植付け又は播種を行う、
フィルムマルチ栽培における苗の植付け又は播種方法。
【請求項２】
フィルムの引き破り阻止又は防止要素が、一定間隔に形成されている打抜穴又は切れ目である、請求項１記載のフィルムマルチ栽培における苗の植付け又は播種方法。
【請求項３】
走行部と、周期的に昇降して苗の植付け又は播種をする器具を有する第２の装置と、を備え、前記器具の昇降行程の下死点又はその近傍で、前記器具がフィルムマルチ栽培用のフィルムで被覆されている土壌中に突入して土壌に穴を形成し、当該穴の中に苗を植付け又は播種する農業機械であって、
前記第２の装置より進行方向前部側には、前記器具の突入箇所に前記フィルムの引き破り阻止又は防止要素を形成する第１の装置を備えている、
農業機械。
【請求項４】
フィルムの引き破り阻止又は防止要素が打抜穴又は切れ目である、請求項３記載の農業機械。
【請求項５】
第１の装置は、
一定間隔で又は周期的に昇降する昇降体と、
走行部を駆動する駆動力を利用して回転し、前記昇降体と係合して昇降体を上昇させる上昇駆動手段と、
を備えており、
前記上昇駆動手段と上昇した前記昇降体とが脱係合状態となったときに上昇した昇降体は自重で落下して又は上昇に伴って付勢された付勢体で射出されてフィルムに打抜穴又は切れ目を形成する、
請求項３又は４記載の農業機械。
【請求項６】
第１の装置は、打抜穴を形成する装置であり、フィルムの打ち抜きによって生じたフィルム片を収拾する手段を備えている、
請求項５に記載の農業機械。
【請求項７】
走行部と、周期的に昇降して苗の植付け又は播種をする器具を有する第２の装置と、を備え、前記器具の昇降行程の下死点又はその近傍で、前記器具がフィルムマルチ栽培用のフィルムで被覆されている土壌中に突入して土壌に穴を形成し、当該穴の中に苗を植付け又は播種する農業機械に装着して使用され、フィルムが引き破られるのを阻止又は防止するアタッチメントであって、
前記農業機械の前記第２の装置より進行方向前部側に装着され、前記植付け又は播種をする器具の突入箇所のフィルムに打抜穴又は切れ目を形成する、
農業機械用アタッチメント。
【発明の詳細な説明】
【技術分野】
【０００１】
本発明は、フィルムマルチ栽培における苗の植付け又は播種（以下、「植播」という。）方法及び農業機械、農業機械用アタッチメントに関するものである。
更に詳しくは、フィルムマルチ栽培において、農業機械を使用して植播を行う前に、植播箇所のフィルムに打抜穴や切れ目等のフィルムの引き破り阻止又は防止要素を形成して、植播するときのフィルム屑の発生を防止し、ひいては収穫された作物にフィルム屑が混入することを防止するものに関する。
【背景技術】
【０００２】
土壌水分の蒸散を防いだり、雑草の発生を抑制したり、或いは降雨時の泥跳ねを防止して作物の汚れや土壌病害の発生を抑制するために、土壌表面をプラスチックフィルムで覆った畝で作物を栽培するフィルムマルチ栽培が行われている。フィルムマルチ栽培では、フィルムを畝の土壌表面に張った後、作業者による手作業の他、農業機械を使用した機械作業によって植播作業が行われており、その関連技術として、例えば特許文献１又は２に記載されたものがある。
【０００３】
特許文献１には、立ち姿勢で操作可能とする操作杆を備えると共に、ポリマルチに植付け孔を打ち抜く筒状打抜き本体の内側に配設されたホルダー部下端の突刺し刃で、打ち抜かれた打抜き片を突刺し、そのままホルダー部に蓄積状としてしまうことを可能にする土壌マルチング用孔打抜き器が記載されている。
【０００４】
また、特許文献２には、植付具が周期的に昇降し、昇降の下死点もしくはその近傍でフィルムを貫通し土中に突入すると共に、植付具の内部には受け入れた種子を下部の先端中央に向けて案内するガイド部材が設けられており、土中に突入したときに下部が開いて種子植付用の穴を開け、植付具が播種作業をも行うことができる農作業機が記載されている。
【先行技術文献】
【特許文献】
【０００５】
【特許文献１】特開平１０−３１３７０７
【０００６】
【特許文献２】特開２００２−２３３２１３
【発明の概要】
【発明が解決しようとする課題】
【０００７】
しかしながら、特許文献１記載の土壌マルチング用孔打抜き器は、作業者による手作業でフィルムに打抜穴を形成するものであり、穴を開けた後には、作業者の手作業によって苗を植えるなど、作業者の身体に負担がかかるだけでなく作業効率も悪い課題がある。
【０００８】
これに対して特許文献２の農作業機は、植付具がフィルムを突き破った後、その先部が開いて苗や種を土壌中に落として植播するため、植付作業の機械化が図られ、作業者の肉体への負担は軽減される利点はある。
【０００９】
しかし、フィルムが植付具で突き破られる際には、フィルムは植付具の先端部分で延伸されながら突き破られるので土壌表面に張られたフィルムの一部がちぎれてフィルム屑が生じたり、ちぎれないまでも細片が生じ、この細片がその後フィルムからちぎれてフィルム屑となる場合が生じる。
【００１０】
このフィルム屑が収穫した作物に混入するとそれを取り除く作業が必要となる。例えば、煙草葉の栽培においては、製品である煙草にフィルム屑が混入するとフィルム屑が燃えたときに有毒ガスが発生し危険であるので、煙草葉の収穫や加工においてはきわめて入念な選別作業が必要になる課題がある。
【００１１】
（本発明の目的）
そこで本発明の目的は、フィルムマルチ栽培において、農業機械を使用して植播を行う前に、植播箇所のフィルムに打抜穴や切れ目等のフィルムの引き破り阻止又は防止要素を形成して、植播するときのフィルム屑の発生を防止し、ひいては収穫された作物にフィルム屑が混入することを防止することにある。
【課題を解決するための手段】
【００１２】
上記課題を解決するために本発明が講じた手段は次のとおりである。
本発明は、
農業機械を使用して、フィルムマルチ栽培用のフィルムで被覆されている土壌中に一定間隔で植播する方法であって、
植播箇所に、前記農業機械が備える第１の装置（以下、「要素形成装置」という。）で前記フィルムの引き破り阻止又は防止要素を形成し、
次いで、前記農業機械が進行し、前記引き破り阻止又は防止要素が形成された箇所に、前記農業機械が備える第２の装置（以下、「植播装置」という。）の苗の植付け又は播種をする器具（以下、「植播具」という。）が前記フィルムを通り抜けて土壌に突入して穴を形成し、
その後前記穴に植播を行う、
フィルムマルチ栽培における植播方法である。
【００１３】
フィルムの引き破り阻止又は防止要素は、一定間隔に形成されている打抜穴又は切れ目であるのが好ましい。
【００１４】
本発明は、
走行部と、周期的に昇降して植播をする植播具を有する植播装置と、を備え、前記植播具の昇降行程の下死点又はその近傍で、前記植播具がフィルムマルチ栽培用のフィルムで被覆されている土壌中に突入して土壌に穴を形成し、当該穴の中に植播する農業機械であって、
前記植播装置より進行方向前部側には、前記植播具の突入箇所に前記フィルムの引き破り阻止又は防止要素を形成する要素形成装置を備えている、
農業機械である。
【００１５】
要素形成装置は、
一定間隔で又は周期的に昇降する昇降体と、
走行部を駆動する駆動力を利用して回転し、前記昇降体と係合して昇降体を上昇させる上昇駆動手段と、
を備えており、
前記上昇駆動手段と上昇した前記昇降体とが脱係合状態となったときに上昇した昇降体は自重で落下して又は上昇に伴って付勢された付勢体で射出されてフィルムに打抜穴又は切れ目を形成するものであることが推奨される。
【００１６】
フィルムの打抜穴又は切れ目の形成と、植播具の土壌突入による穴の形成が、同時又はほぼ同時に行われるようにするのが好ましい。
【００１７】
要素形成装置が打抜穴を形成する装置である場合には、打ち抜きによって生じたフィルム片を収拾する手段を備えていることが推奨される。これによって、別に収拾する作業が不要になる。
【００１８】
本発明は、
走行部と、周期的に昇降して植播をする器具を有する植播装置と、を備え、前記器具の昇降行程の下死点又はその近傍で、前記器具がフィルムマルチ栽培用のフィルムで被覆されている土壌中に突入して土壌に穴を形成し、当該穴の中に植播する農業機械に装着して使用され、フィルムが引き破られるのを阻止又は防止するアタッチメントであって、
前記農業機械の前記植播装置より進行方向前部側に装着され、前記植播をする器具の突入箇所のフィルムに打抜穴又は切れ目を形成する、
農業機械用アタッチメントである。
【００１９】
（作用）
本発明に係る農業機械の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００２０】
農業機械Ａの走行に伴い要素形成装置３による打抜穴５０又は切れ目５２が形成され、植播装置２による植播部での植播を並行して行うことにより、あらかじめフィルム５に形成された打抜穴５０又は切れ目５２からフィルム５を破ることなく土壌中に植播ができる。
【００２１】
これにより、従来の農作業機のように植播の際に植播具がフィルムを突き破ることから生じるフィルム屑の発生を防ぎ、収穫された作物にフィルム屑が混入することを防止することができる。
【００２２】
要素形成装置３が昇降体３５を有し、昇降体３５が打抜穴５０又は切れ目５２の形成に十分な自重を有するものは、自然落下によって打抜穴５０又は切れ目５２は形成される。
昇降体３５が前記形成に十分な自重を有しない場合は、昇降体３５の上昇に伴って付勢された付勢体で射出されてフィルム５に打抜穴５０又は切れ目５２を形成する。
【００２３】
また、要素形成装置３が打抜穴５０を形成する装置の場合は、フィルム片収拾手段３５６を備えることによって、フィルム５から打ち抜かれたフィルム片５１はフィルム片収拾手段３５６によって収拾され畝４上から取り除かれるので、植付作業後の人の手による収拾の手間を省くことができ、より効率のよい作業ができる。
【００２４】
なお、前記農業機械用アタッチメントは、既存の農業機械に装着して使用することができる。
【発明の効果】
【００２５】
本発明によれば、フィルムマルチ栽培において、農業機械を使用して植播を行う前に、植播箇所のフィルムに打抜穴や切れ目等のフィルムの引き破り阻止又は防止要素を形成して、植播するときのフィルム屑の発生を防止し、ひいては収穫された作物にフィルム屑が混入することを防止することができる。
【００２６】
また、引き破り阻止又は防止要素を形成する要素形成装置が打抜穴を形成する装置であり、フィルムの打ち抜きによって生じたフィルム片を収拾する手段を備えているものは、打ち抜きによって生じたフィルム片を収拾できるため、別に収拾する作業が不要になる。
【図面の簡単な説明】
【００２７】
【図１】本発明に係る農業機械の一実施の形態を示す概略側面図。
【図２】農業機械の概略平面図。
【図３】農業機械の概略正面図。
【図４】農業機械の要素形成装置の動きを示し、爪具の係合爪部が押し上げ始点にある状態の説明図。
【図５】爪具の係合爪部が押し上げ終点にある状態の説明図。
【図６】爪具の係合爪部の係合が外れ、昇降体が下方へ射出されて、カッターがフィルムを打ち抜いている状態の説明図。
【図７】農業機械の走行中に昇降体による打ち抜きを停止している状態の説明図。
【図８】フィルムに形成された打抜穴と植播具の先端との関係を示す説明図。
【図９】本発明に係る農業機械の他の実施の形態を示す要部模式図。
【図１０】フィルムに形成された切れ目と植播具の先端との関係を示す説明図。
【発明を実施するための形態】
【００２８】
〔実施の形態１〕
本発明を図面に示した実施の形態１に基づき詳細に説明する。
図１乃至図７を参照する。自走式の作業機である農業機械Ａは、走行部であるクローラ１０を有する機枠１と、機枠１の進行方向後部に設けられている植播装置２とを備えている。機枠１の進行方向前部には、前記植播装置２で植播が行われる箇所に、要素形成装置３が設けられている。本実施の形態に係る要素形成装置は、打抜穴形成装置である。
【００２９】
要素形成装置３は、フィルムを円形に打ち抜いて打抜穴を形成すると共に、打ち抜きにより分離したフィルム片を収拾する装置を備えている。
なお、農業機械Ａにおいて、前記要素形成装置３を除く他の部分は公知のものを採用しているので、それらの構造については概略又は必要な箇所を説明するに止める。
【００３０】
前記クローラ１０は、畝の間を走行するもので、機枠１の左右両側（幅方向両側）に設けられている。機枠１には、各クローラ１０の間に門型の補強枠１１が設けられている。補強枠１１には、植播装置２で植播する苗又は種を供給する供給装置や棚（何れも図示省略）が取り付けられている。また機枠１には、各クローラ１０の間に前記植播装置２が設けられ、その後方にハンドル１２が設けられ、更に各クローラ１０の後方にそれぞれ座席１３、１４が設けられている。
【００３１】
前記植播装置２は、各クローラ１０と共に原動機（図示省略）により駆動され、クラッチ機構（図示省略）を介し作動及び停止の切り替えができる構造である。植播装置２は、三台の植播具２０を有し、各植播具２０を縦方向に間欠的に回転させながら、下部に降りた植播具２０の先端部を開いて畝の土壌に穴を開け、この穴に苗又は種を落として植え又は播くことができる。なお、苗又は種は作業者によって植播具２０に投入される。
【００３２】
要素形成装置３は、機枠１の植播装置２より前方（進行方向側）に設けられ、植播装置２で植播が行われる前にフィルム５に打抜穴を形成するものである。要素形成装置３によって打抜穴を形成する穴形成部Ｐ１と、植播装置２によって苗を植える植播部Ｐ２の距離は、穴形成部Ｐ１でフィルムに形成される穴の間隔（ストローク）の整数倍（本実施の形態では三倍）の距離である。また、各穴形成部Ｐ１でフィルム５に形成される穴の間隔と、各植播部Ｐ２で苗が植えられ又は種が播かれる間隔は同じ間隔となるように設定されている。
これによって、植播の際に植播具２０がフィルム５を引き破るのを防止できる。
【００３３】
要素形成装置３には、チェーン駆動により前記植播装置２の各植播具２０を回転させる回転軸２１の回転力が伝えられる。機枠１の要素形成装置３寄りには、中継回転軸１５が機枠１の左右両側に設けられた軸受１６により軸支されている。中継回転軸１５には、前記回転軸２１に設けられたスプロケット２１０と同じ歯数のスプロケット１５０、１５１が設けられている。
【００３４】
中継回転軸１５の一方のスプロケット１５０と回転軸２１のスプロケット２１０にはチェーン１５２が回し掛けられており、中継回転軸１５は、回転軸２１と同期回転をする。なお、中継回転軸１５は、前記ハンドル１２に設けられているグリップ等（図示省略）でワイヤチューブ（図示省略）を介し駆動力の接続・切断を行うクラッチ機構（図示省略）を備えている。
【００３５】
要素形成装置３は、機枠１の前端部に立設固定された門型の基部枠３０を有している。基部枠３０の上部の左右両側には、前方へ向けて水平に腕枠３００が設けられている。腕枠３００の先端寄りには、軸受３１により回転軸３２が軸支されている。回転軸３２の一方の先端部には、スプロケット３２０が固定されている。スプロケット３２０と前記中継回転軸１５の他方のスプロケット１５１にはチェーン１５３が回し掛けられており、回転軸３２は中継回転軸１５と同期回転をする。
【００３６】
回転軸３２の軸線方向の中間部には、所要間隔をおいて二枚の板状の爪具（カム）３３、３３ａが固定されている。爪具３３、３３ａは、後述するようにフィルム５に穴を開けた後、直ちに昇降体３５を上昇させる上昇駆動手段を構成し、それぞれ回転軸周方向へ等角度で三箇所に係合爪部３３０が設けられている。
【００３７】
係合爪部３３０は、図４に示すように、爪具３３、３３ａの回転方向とは反対方向へやや湾曲して形成されている。また、爪具３３、３３ａにおいては、それぞれの係合爪部３３０の回転軸周方向の位置が同じ（同角度）になるように設定されている。
【００３８】
基部枠３０の腕枠３００より下方には、台板３０１が水平に固定されている。台板３０１の中央には、台板３０１を上下に貫通してガイド管３４が鉛直方向に立設固定されている。ガイド管３４の下端は、台板３０１の下面側へ若干突き出て開口されている。ガイド管３４の台板３０１より上方側の左右両側には、壁部を貫通して所要長さのガイド長孔３４０が鉛直方向に設けられている。
【００３９】
また、ガイド管３４の下部側の後部には、後述するワイヤチューブ３７０で進退操作される係止ピン３７が挿通される挿通孔３４１が設けられている。更に、ガイド管３４の上端には、キャップ３４２が着脱自在に取り付けられている。キャップ３４２を取り外せば、潤滑用のグリスをガイド管３４内部に注入することができる。
【００４０】
ガイド管３４には、ガイド管３４の内径よりやや径小な所要長さの射出ロッド３５０とその先端に設けてあるカッター３５１からなる昇降体３５が昇降自在に収容されている。
【００４１】
射出ロッド３５０の上端寄りの左右両側には、ローラ３５２が設けられている。各ローラ３５２は、前記ガイド長孔３４０を貫通した軸３５３のガイド長孔３４０外部側に設けられている。射出ロッド３５０が上下動できるストロークは、軸３５３がガイド長孔３４０の上下端部に当たることにより、ガイド長孔３４０の長さの範囲内に制限されるようになっている。
【００４２】
また、射出ロッド３５０の長さは、射出ロッド３５０が最下部まで降りたとき、後述するカッター３５１がフィルムを打ち抜くことができる長さに設定されている。そして、前記爪具３３、３３ａは、各係合爪部３３０がガイド管３４の両側を各ローラ３５２に接触しながら下から上方向に回転するようにしてある。
【００４３】
射出ロッド３５０の下端部には、フィルムを円形に切断し打ち抜くカッター３５１が取付具３５４により着脱自在に取り付けられている。カッター３５１は円筒形状であり、その下端縁部には細かな鋸刃状の刃部３５５が全周にわたり設けられている。
【００４４】
また、取付具３５４には、カッター３５１の中心を通るフィルム片収拾具３５６が鉛直方向に設けられている。フィルム片収拾具３５６は、下端部が矢尻状であり、突き刺したフィルム片が抜け落ちないように止める戻り３５７が設けられている。
【００４５】
射出ロッド３５０の中間部よりやや下方の後部側（進行方向と反対側）には、所要深さ及び所要長さの係合溝３５８が縦方向に設けられている。係合溝３５８には、後述する係止ピン３７が係合するようになっている。
【００４６】
また、射出ロッド３５０の上端には、コイルバネである射出バネ３５９がガイド管３４内に収容され固定されている。なお、射出バネ３５９は、必ずしも射出ロッド３５０に固定する必要はなく、射出ロッド３５０上方のガイド管３４内にスライド自在（上下移動自在）に収容してもよい。
【００４７】
射出バネ３５９の長さは、射出ロッド３５０が爪具３３、３３ａの係合爪部３３０で押し上げられて最上部に位置したときに、ガイド管３４内のキャップ３４２下部と射出ロッド３５０上端との間で圧縮されることにより、射出ロッド３５０を下方へ射出できる十分な付勢力が得られるように設定されている。
【００４８】
台板３０１の後部は、基部枠３０の中央部から後方へやや張り出しており、この部分には係止ピン３７が取り付けられている。係止ピン３７は、先端部が前記ガイド管３４の挿通孔３４１に向けられており、前記ハンドル１２に設けられているグリップ等（図示省略）でワイヤチューブ３７０を介し進退操作（後退時はロック）される。
【００４９】
係止ピン３７は、前進位置ではバネ３７１で前方へ付勢され、係止ピン３７に先端側から力が加わるとバネ３７１の付勢力に抗して後退するようになっている。係止ピン３７が前進操作されると、ガイド管３４の挿通孔３４１を通り、先端が射出ロッド３５０の後面に当たるようになっており、その状態で射出ロッド３５０が上昇すると係止ピン３７は係合溝３５８に入り係合する。係止ピン３７が係合溝３５８に係合した状態では、射出ロッド３５０の上下動範囲は係合溝３５８の長さに制限される。
【００５０】
なお、要素形成装置３は、農業機械とは別体とし、植播を行う既存の農業機械の機枠等に対しボルト・ナット等の取付手段を利用して取り付けができるアタッチメント（参考：図４乃至図７、符号は省略）としてもよい。その場合は、アタッチメントと共に前記中継回転軸１５、軸受１６、スプロケット１５１、スプロケット２１０、チェーン１５２、１５３等を含む駆動力の伝達構造も新たに取り付けられる。これによれば、既存の農業機械を本実施の形態の農業機械Ａと同等の構造及び機能を有する農業機械に改造することができる。
【００５１】
（作用）
図１乃至図７を参照して農業機械Ａの作用を説明する。
農業機械Ａを走行させ、植播を行う畑の畝の一端側に位置させる。座席１３、１４には、一人又は二人の作業者が座って、農業機械Ａの運転と操作を行う。
【００５２】
作業者は、ハンドル１２側の操作で中継回転軸１５のクラッチ機構を接続する。また、ハンドル１２側の操作で係止ピン３７を後退位置でロックしておき、昇降体３５の射出ロッド３５０の上下動が係止ピン３７で制限されないようにしておく。
次に、農業機械Ａを走行させ、植播装置２を作動させる。中継回転軸１５のクラッチ機構を接続していることにより、植播装置２の作動と同時に要素形成装置３が作動する。
【００５３】
植播装置２による植播は、作業者が手作業で三台の各植播具２０に順に苗又は種を入れることにより行われ、最下部に降りた植播具２０が植播部Ｐ２のフィルム５を突き破り、土壌にできた穴に苗又は種を落とす。なお、植播具２０が植播部Ｐ２のフィルム５を突き破るのは、植播部Ｐ２の位置が進行方向前方の要素形成装置３による最初の穴形成部Ｐ１に到達するまでであり、以降は植播具２０がフィルム５を突き破ることはない。
【００５４】
前記したように、植播装置２の作動と共に、その進行方向前方において要素形成装置３が作動している。これによりフィルム５には、図８に示すように一定間隔で打抜穴５０が形成される。植播装置２と要素形成装置３の作動は、前記のように同期がとられており、例えば植播装置２で各植播具２０が一回転し苗を三回植播る間に、要素形成装置３は各植播具２０が植播するタイミングと同じタイミングで昇降体３５を三回射出し、カッター３５１によってフィルム５に三回穴が開けられる。
【００５５】
しかも、穴形成部Ｐ１で開けられるフィルム５の打抜穴５０の間隔と植播部Ｐ２で苗が植えられ又は種が播かれる間隔は同じであり、穴形成部Ｐ１と植播部Ｐ２の距離が穴形成部Ｐ１で開けられるフィルム５の打抜穴５０間隔の整数倍であることにより、農業機械Ａの走行によって穴形成部Ｐ１で開けられる打抜穴５０の箇所の土壌に植播部Ｐ２で植播される。
【００５６】
要素形成装置３の動きは次の通りである。
（１）まず、図４を参照する。図４は、昇降体３５が下方へ射出されて、畝４の土壌表面に張設されているフィルム５にカッター３５１で打抜穴５０を開けた直後の状態を示している。この時点では、爪具３３、３３ａの係合爪部３３０が各ローラ３５２に下側から接触し、押し上げ始点にある。
【００５７】
（２）この状態から爪具３３、３３ａが矢印方向へ回転し、係合爪部３３０が各ローラ３５２を押し上げ、射出ロッド３５０が上昇する。そして、図５に示すように、爪具３３、３３ａが係合爪部３３０による押し上げ終点まで回転し、射出ロッド３５０は最上部に位置すると、射出ロッド３５０上端に固定された射出バネ３５９がガイド管３４内のキャップ３４２下部と射出ロッド３５０上端との間で圧縮され、射出ロッド３５０を下方へ射出できる十分な付勢力が得られる。
【００５８】
（３）爪具３３、３３ａが矢印方向へ更に回転し、各ローラ３５２から係合爪部３３０の係合が外れると、射出バネ３５９の付勢力により射出ロッド３５０が瞬時に下方へ射出され、先端のカッター３５１でフィルム５が円形に打ち抜かれて打抜穴５０が開けられる。図６に示すように、打抜穴５０が開けられると同時に打ち抜かれた円形のフィルム片５１にフィルム片収拾具３５６が突き刺さって貫通し、フィルム片５１は戻り３５７で止まってフィルム片収拾具３５６から外れない。
【００５９】
（４）昇降体３５は、カッター３５１がフィルム５を打ち抜くと同時か略同時に、図４に示すように爪具３３、３３ａの係合爪部３３０が各ローラ３５２に下側から接触し、押し上げ始点にくる。これにより、カッター３５１が一部土壌に埋まった状態で農業機械Ａの走行により引きずられてフィルム５を破ったり、カッター３５１自身が破損することを防止できる。
【００６０】
農業機械Ａによれば、前記のように、農業機械Ａの走行に伴い要素形成装置３による穴形成部Ｐ１での打抜穴５０の形成と、植播装置２による植播部Ｐ２での植播を並行して行うことにより、フィルム５を破ることなく植播することができる。すなわち、穴形成部Ｐ１で開けられるフィルム５の打抜穴５０の間隔と植播部Ｐ２で植播される間隔は同じであり、穴形成部Ｐ１と植播部Ｐ２の距離が穴形成部Ｐ１で開けられるフィルム５の打抜穴５０の間隔の整数倍であることにより、農業機械Ａの走行によって穴形成部Ｐ１で開けられる打抜穴５０の箇所の土壌に植播部Ｐ２で植播される。
【００６１】
フィルム５の穴はカッター３５１で縁が滑らかできれいな円形に打ち抜かれ、打ち抜かれたフィルム片５１はフィルム片収拾具３５６によって収拾されて畝４上から取り除かれる。これにより、フィルム５の穴の縁部に捲れたり捻れたりする部分がなく傷みにくいので、経時劣化により又は人為的にちぎれる等したフィルム屑が生じにくく、作物の収穫時において作物にフィルム屑が混入することを防止することができる。
【００６２】
また、前記のように農業機械Ａによる苗の植播を行う際、別の畝に移るときは、要素形成装置３の駆動を停止する。また、植播装置２については、駆動を停止するか又は植播具２０に対する苗又は種の投入をやめるようにする。
【００６３】
このときの要素形成装置３の具体的な操作は次の通りである。
要素形成装置３の穴形成部Ｐ１が畝４の端部へ来た際は、ハンドル１２側の操作で係止ピン３７を前進位置に切り替える。これにより、係止ピン３７はバネ３７１により射出ロッド３５０側へ付勢され、先端が射出ロッド３５０の周壁を押圧するように接触する。
【００６４】
この状態で、射出ロッド３５０が上昇又は下降し、図７に示すように射出ロッド３５０の係合溝３５８が係止ピン３７の位置に合うと、バネ３７１の付勢力で係止ピン３７の先端部が更に突出し、係合溝３５８と係合する。これにより、射出ロッド３５０の上下動範囲は、係合溝３５８と係止ピン３７が係合した高さ位置において、係合溝３５８の長さと同じストロークに制限され、例えば昇降体３５が下に落ちて農業機械Ａを別の畝へ移動させる際の邪魔になることを防止できる。
【００６５】
なお、係合溝３５８と係止ピン３７を係合させて射出ロッド３５０の上下動範囲を制限しているときには、爪具３３、３３ａは支障なく回転することができるようになっているので、必ずしも前記中継回転軸１５のスプロケット１５１の回転を止める必要はないが、クラッチ機構を切って駆動力を切断することもできる。
なお、要素形成装置３を停止させた後は、そのまま農業機械Ａを走行させてフィルム５の打抜穴５０の箇所の土壌に植播装置２で植播してもよいが、場合によっては植播装置２を停止して、残った打抜穴５０の所だけ手作業で植播してもよい。
【００６６】
〔実施の形態２〕
本実施の形態に係る要素形成装置は、切れ目形成装置であり、図９(a)は切れ目形成装置の要部を示す正面視説明図、(b)は(a)の右側面視説明図である。
実施の形態１に示す要素形成装置がフィルム５に打抜穴を形成するカッター３５１を備えているのに対して、本実施の形態に示す装置では、カッター３５１に代え、切れ目を形成する刃６０を備えている。
【００６７】
刃６０の刃先６２は、農業機械Ａの進行方向に向って上方に傾斜しており、フィルム５に農業機械Ａの進行方向と並行又は略並行な切れ目５２を形成する。刃６０で切れ目を形成するため、打ち抜かれたフィルム片５１は生じないから、それを収拾するフィルム片収拾具３５６は備えていない。
その他の構成は、実施の形態１の場合と同じであるので、詳細な説明は省略する。
【００６８】
（作用）
前記カッター３５１と同様に刃６０は、一定の間隔で昇降し、上昇状態にある刃６０が降下することによって、フィルム５には、図１０に示すように一定間隔で農業機械Ａの進行方向に並行又は略並行に切れ目５２が形成される。
【００６９】
降下した植播具２０の下端はフィルム５の切れ目５２と交差状態に当接し、フィルム５の切れ目５２の縁を柔らかい土壌中に押し込みながら更に降下する。この押し込みによって切れ目５２の縁は両側に開かれ、その間から植播具２０が土壌中に突入して土壌に穴を形成し、その後穴の中に植播する。
【００７０】
切れ目５２は農業機械の進行方向に並行又は略並行に形成されているために、植播具２０の下端が切れ目５２と交差状態に当接する箇所が、切れ目５２の中央部分でなくても、植播具２０の押し込みによって切れ目５２の縁は両側に開かれるために、フィルム５が引き破られるのを阻止又は防止できる。
【００７１】
また、前記のように、刃先６２は農業機械Ａの進行方向に向って上方に傾斜しており、農業機械Ａの経年使用によって昇降体３５の上昇するタイミングが多少遅れても、フィルム５を切るだけであり、引きずりによる破損が防止できる。
その他の作用は、実施の形態１の場合と大体同じであるので、詳細な説明は省略する。
【００７２】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００７３】
Ａ  農業機械
１  機枠
１０  クローラ
１１  補強枠
１２  ハンドル
１３、１４  座席
１５  中継回転軸
１５０  スプロケット
１５１  スプロケット
１５２  チェーン
１５３  チェーン
１６  軸受
２  植播装置
２０  植播具
２１  回転軸
２１０  スプロケット
３  要素形成装置
３０  基部枠
３００  腕枠
３０１  台板
３１  軸受
３２  回転軸
３２０  スプロケット
３３、３３ａ  爪具
３３０  係合爪部
３４  ガイド管
３４０  ガイド長孔
３４１  挿通孔
３４２  キャップ
３５  昇降体
３５０  射出ロッド
３５１  カッター
３５２  ローラ
３５３  軸
３５４  取付具
３５５  刃部
３５６  フィルム片収拾具
３５７  戻り
３５８  係合溝
３５９  射出バネ
３７  係止ピン
３７０  ワイヤチューブ
３７１  バネ
Ｐ１  穴形成部
Ｐ２  植播部
４  畝
５  フィルム
５０  打抜穴
５１  フィルム片
５２  切れ目
６０  刃
６２  刃先
【図１】
2012034657.tif 000003
【図２】
2012034657.tif 000004
【図３】
2012034657.tif 000005
【図４】
2012034657.tif 000006
【図５】
2012034657.tif 000007
【図６】
2012034657.tif 000008
【図７】
2012034657.tif 000009
【図８】
2012034657.tif 000010
【図９】
2012034657.tif 000011
【図１０】
2012034657.tif 000012